(57)【要約】【課題】  この発明は、必須携行品を一括して収納できる携行品入れであって、携行品を出し入れし易くする。【解決手段】  携行品入れであって、この携行品入れは、シート状の裏面材と、この裏面材に周縁結合部と区画結合部により結合されたシート状の表面材と、この裏面材と表面材の間に形成される収納室とからなる携行品入れ本体と、この携行品入れ本体を壁等に掛けて懸垂させる係止具とから構成され、バッグ内での使用形態と室内で懸垂された使用形態とにおいて、この収納室は下方にまっすぐ又は斜めに傾斜し、この開口部は上方にまっすぐ又は斜めに開口することを特徴とする携行品入れであり、携行品入れへの携行品の出し入れを容易とし、携行品入れを邪魔にならない場所に置き、かつひと目で携行品を確認することができる。【選択図】図２
2016077648.tif 000002
【特許請求の範囲】
【請求項１】
携行品入れであって、この携行品入れは、シート状の裏面材と、この裏面材に周縁結合部と区画結合部により結合されたシート状の表面材と、この裏面材と表面材の間に形成される収納室とからなる携行品入れ本体と、この携行品入れ本体を壁等に掛けて懸垂させる係止具とから構成され、バッグ内での使用形態と室内で懸垂された使用形態とにおいて、この収納室は下方にまっすぐ又は斜めに傾斜し、この開口部は上方にまっすぐ又は斜めに開口することを特徴とする携行品入れ。
【請求項２】
請求項１の携行品入れの裏面材は、一対の第一の周縁部と、これと略直交する一対の第二の周縁部とを有し、この第一の周縁部の一対と第二の周縁部の内の一方は表面材と結合されて周縁結合部を形成し、第一の周縁部と略平行な幾つかの区画結合部が設けられて収納室を形成し、この収納室は上方にまっすぐ又は斜めに向いた開口部を有する携行品入れ。
【請求項３】
請求項１または請求項２の携行品入れの係止具は、第一の周縁部の中央部より開口部側よりの周縁部近傍に設けられていることを特徴とする携行品入れ。
【発明の詳細な説明】
【技術分野】
【０００１】
この発明は、必要携行品を一括して収納できる携行品入れに関する。
【背景技術】
【０００２】
従来、携帯電話、財布、鍵、カード類、手帳、ハンカチ等、外出時の携行品は、ハンドバッグ等に収納して持ち歩いていた。しかしながら、外出時に携行するバッグは、外出先、目的や服装によって使い分けていたので、その都度中身を入れ替える必要があった。そこで、これらの携行品をまとめて携行品入れに収納し、一括して入れ替えができる従来技術が提案されていた。
【先行技術文献】
【特許文献】
【０００３】
【特許文献１】特開２００２−４５２２６
【特許文献２】実登３１３４３２９
【発明の概要】
【発明が解決しようとする課題】
【０００４】
特許文献１および特許文献２に開示されたように、携行品を一括して携行品入れに収納し、外出時に外出用のバッグに収納することにより、バッグへの携行品の入れ替えを容易にしていた。
【０００５】
しかしながら、これらの携行品は在宅時にも使用するものであり、携行品を携行品入れから取り出して使用した後は、つい面倒なので適当な場所に放置してしまうことが多かった。従って、いざ外出しようとしたときに慌てて携行品を探し回って、そのままバッグに詰め込んでしまい、携行品入れは使わなくなることが多かった。これは、携行品の携行品入れへの出し入れに手間がかかり、携行品を使用の都度携行品入れに収納するのが面倒であるからであった。
【課題を解決するための手段】
【０００６】
携行品入れであって、この携行品入れは、シート状の裏面材と、この裏面材に周縁結合部と区画結合部により結合されたシート状の表面材と、この裏面材と表面材の間に形成される収納室とからなる携行品入れ本体と、この携行品入れ本体を壁等に掛けて懸垂させる係止具とから構成され、バッグ内での使用形態と室内で懸垂された使用形態とにおいて、この収納室は下方にまっすぐ又は斜めに傾斜し、この開口部は上方にまっすぐ又は斜めに開口することを特徴とする携行品入れである。
【発明の効果】
【０００７】
上記の問題点を解決し、携行品入れへの携行品の出し入れを容易とし、携行品入れを邪魔にならない場所に置き、かつひと目で携行品を確認できる携行品入れを提供することができる。
【図面の簡単な説明】
【０００８】
【図１】第一の実施例の携行品入れを示す正面図である。
【図２】第一の実施例の携行品入れを壁に掛けて懸垂させた使用形態を示す正面図である。
【図３】第一の実施例の携行品入れをバッグに入れた使用形態を示す平面図である。
【図４】第一の実施例の携行品入れをバッグに入れた使用形態を示す正面図である。
【図５】第一の実施例の携行品入れの一部を拡大した斜視図である。
【図６】第二の実施例の携行品入れの一部を拡大した斜視図である。
【発明を実施するための形態】
【０００９】
携行品入れであって、この携行品入れは、シート状の裏面材と、この裏面材に周縁結合部と区画結合部により結合されたシート状の表面材と、この裏面材と表面材の間に形成される収納室とからなる携行品入れ本体と、この携行品入れ本体を壁等に掛けて懸垂させる係止具とから構成され、バッグ内での使用形態と室内で懸垂された使用形態とにおいて、この収納室は下方にまっすぐ又は斜めに傾斜し、この開口部は上方にまっすぐ又は斜めに開口することを特徴とする携行品入れである。
【００１０】
上記の携行品入れの裏面材は、一対の第一の周縁部と、これと略直交する一対の第二の周縁部とを有し、この第一の周縁部の一対と第二の周縁部の内の一方は表面材と結合されて周縁結合部を形成し、第一の周縁部と略平行な幾つかの区画結合部が設けられて収納室を形成し、この収納室は上方にまっすぐ又は斜めに向いた開口部を有する携行品入れである。
上記の携行品入れの係止具は、第一の周縁部の中央部より開口部側よりの周縁部近傍に設けられていることを特徴とする携行品入れである。
【実施例】
【００１１】
図１は、第一の実施例の携行品入れであり、携行品入れ１０は携行品入れ本体２０と係止具３０とから構成される。携行品入れ本体２０は、略矩形の裏面材４０と、裏面材４０に周縁結合部６０と区画結合部７０により結合された表面材５０とから形成されている。裏面材４０と表面材５０は、軟質のプラスチック、繊維や皮等のように柔軟性のあるシートで形成されている。
【００１２】
裏面材４０は、一対の第一の周縁部２１，２２と、これと直交する第二の周縁部２３，２４とで囲まれた略矩形の形状を有している。表面材５０は、第一の周縁部２１、２２と、第二の周縁部２４とにおいて周縁結合部６０により結合されている。また、第一の周縁部２１，２２と略平行に配置された複数の区画結合部７０により裏面材４０と表面材５０が結合され、裏面材４０と表面材５０の間に収納室１２０を形成している。第二の周縁部２３の側には斜め方向に開口部８０が設けられている。
【００１３】
第一の周縁部２１と第二の周縁部２３の交点近傍には、係止具３０が取り付けられている。開口部８０は、上方に向かって開放するよう傾斜して開口している。また開口部８０には、弾力性のある材料からなる開口ガイド８１が設けられ、開口部８０を開口するよう配置されている。表面材５０は、透明、半透明またはメッシュ材で形成されており、裏面材４０はやや腰の強い材料で形成されている。
【００１４】
図２は、第一の実施例の携行品入れ１０を帰宅時に壁に掛けて懸垂させた使用形態を示す。係止具３０により壁のフック９０に掛けると、携行品入れ１０は斜めに傾斜する。この時、区画結合部７０が斜めになるため、収納室１２０も下方に傾いた状態となる。この状態で携行品等の収納物１３０をA方向に落とし込むように挿入すると、収納室１２０は傾斜しているので、B方向に滑り込むように挿入することができる。開口部８０は、上方を向いているので、一段と入れ易いという効果が得られる。
【００１５】
図３、図４は、第一の実施例の携行品入れ１０をバッグ１４０の中に入れた使用形態を示す。携行品入れ１０を真ん中で半分に折畳んで折畳み係止具２５である面ファスナで閉じて、バッグ１４０の中に自立した状態で挿入することできる。携行品入れ１０の開口部８０は上方に向き収納室１２０は下方に向いているので、収納物１３０を上方から確認し易く、出し入れも容易である。さらに、収納物１３０は外側に向いているので側面から収納物１３０を確認し易いという効果もある。
【００１６】
図５は、第一の実施例の携行品入れ１０の開口部８０の近傍の拡大斜視図である。開口ガイド８１は開口部８０を開く方向に付勢しているので、収納物１３０を挿入し易くすることができる。図６は第二の実施例であり、開口ガイド８１は、外に向かって拡大しているので、さらに収納物１３０を収納し易くすることができる。
【００１７】
このように、これらの実施例によると、帰宅時には、携行品入れ１０を壁に掛けておくと、携帯電話等収納物１３０を片手で投げ入れるように挿入できる。従って、収納物１３０が常時携行品入れ１０に挿入されているので、そのまま折畳んでバッグ１４０に入れて外出することができる。さらに、開口部８０が上方に傾斜しているので、収納物１３０を掴みやすく、取り出しも容易となる効果も得られる。
【産業上の利用可能性】
【００１８】
この発明の携行品入れは、必須携行品を一括して収納できる携行品入れに関するが、室内での収納にも利用が可能である。
【符号の説明】
【００１９】
１０は携行品入れ
２０は携行品入れ本体
２１、２２は第一の周縁部
２３、２４は第二の周縁部
３０は係止具
２５は折畳み係止具
２６はスライドファスナ
４０は裏面材
５０は表面材
６０は周縁結合部
７０は区画結合部
８０は開口部
８１は開口ガイド
９０はフック
１２０は収納室
１３０は収納物
１４０はバッグ
【図１】
2016077648.tif 000003
【図２】
2016077648.tif 000004
【図３】
2016077648.tif 000005
【図４】
2016077648.tif 000006
【図５】
2016077648.tif 000007
【図６】
2016077648.tif 000008